(57)【要約】【課題】装置内で発生した廃液を効率よく回収することができる液体噴射装置を提供する。【解決手段】液体噴射装置１１は、搬送路の第２端Ｐ２側に端部位置を合わせた状態で搬送方向Ｙに搬送される媒体Ｓに対して液体を噴射する液体噴射部と、搬送路の第１端Ｐ１の外側に配置されて、液体噴射部から廃液として排出される液体を受容する第１受容部５２と、媒体Ｓに受容されなかった液体を廃液として受容する第２受容部３８を有して搬送路に配置される媒体支持部と、第１受容部５２及び第２受容部３８が受容した廃液を収容する廃液収容部６１と、を備える。廃液収容部６１は、媒体支持部の鉛直下方において廃液を収容する収容室６７と、第１受容部５２が受容した廃液を導入するために第２端Ｐ２よりも第１端Ｐ１に近い位置に配置される導入口７１と、第２受容部３８に向けて開口する開口部６６とを有する。【選択図】図７
2015217628.tif 000002
【特許請求の範囲】
【請求項１】
搬送方向と交差する方向を幅方向とした場合に、搬送路の前記幅方向における第１端と第２端のうち、前記第２端側に端部位置を合わせた状態で前記搬送方向に搬送される媒体に対して液体を噴射する液体噴射部と、
前記搬送路の前記第１端の外側に配置されて、前記液体噴射部から廃液として排出される液体を受容する第１受容部と、
前記媒体を支持する支持突部と、前記液体噴射部から前記媒体の端部に向けて噴射されて前記媒体に受容されなかった液体を廃液として受容する第２受容部と、を有して、前記搬送路に配置される媒体支持部と、
前記第１受容部及び前記第２受容部が受容した廃液を収容する廃液収容部と、
を備え、
前記廃液収容部は、前記媒体支持部の鉛直下方において廃液を収容する収容室と、前記第１受容部が受容した廃液を導入するために前記第２端よりも前記第１端に近い位置に配置される導入口と、前記第２受容部に向けて開口する開口部と、を有する液体噴射装置。
【請求項２】
前記搬送方向において前記媒体支持部と隣り合うように配置されて、前記媒体を搬送する搬送部を備え、
前記廃液収容部の前記導入口は、前記搬送部の鉛直下方に配置される
請求項１に記載の液体噴射装置。
【請求項３】
基端が前記第２受容部に接続されるとともに先端が前記開口部に挿入される導液部を備え、
前記導液部は、鉛直方向と交差する方向において、前記先端の方が前記基端よりも前記導入口から離れた位置に配置される
請求項１または請求項２に記載の液体噴射装置。
【請求項４】
前記廃液収容部は、鉛直上方に向けて開口する収容凹部と、前記収容凹部に収容される廃液を吸収可能な吸収体と、前記吸収体と前記導入口との間に空間を形成する空間形成部と、を有し、
前記収容凹部の鉛直上方に向けて開口する開口部は前記第２受容部に向けて開口する前記開口部であり、前記収容凹部の内部空間は前記収容室となる
請求項１〜請求項３のうちいずれか一項に記載の液体噴射装置。
【請求項５】
前記空間形成部は、前記幅方向において対向するように配置される一対の側壁を有し、
前記空間形成部は前記幅方向が長手方向であり、前記導入口は前記側壁に設けられる
請求項４に記載の液体噴射装置。
【請求項６】
前記導入口は、前記一対の側壁のうち、前記第１受容部に近い方の側壁において、前記幅方向に沿う方向に向けて開口する
請求項５に記載の液体噴射装置。
【発明の詳細な説明】
【技術分野】
【０００１】
本発明は、プリンターなどの液体噴射装置に関する。
【背景技術】
【０００２】
液体噴射装置の一例として、液体噴射ヘッドに設けたノズルから、用紙の端部に余白が残らないようにインクを噴射することで、用紙の端部に余白を残さない縁なし印刷を行うインクジェット式のプリンターがある。このような縁なし印刷を行うプリンターのうちには、媒体を支持するプラテンに溝穴を設けるとともにプラテンの下方に廃液トレイを設けて、用紙の端部からはみ出たインク滴を溝穴に配設した吸収材で受容した上で、吸収材が受容したインクを廃液トレイに導入するものがある（例えば、特許文献１）。
【先行技術文献】
【特許文献】
【０００３】
【特許文献１】特開２００４−１４２１２５号公報
【発明の概要】
【発明が解決しようとする課題】
【０００４】
ところで、上述のようなプリンターにおいては、ノズルの目詰まりを予防または解消するために、用紙の搬送路の外側に配置されたキャップ部材などにノズルからインクを排出することがある。この場合には、用紙の搬送路中に配置されるプラテンに設けられた溝穴を通じて排出されるインク（廃液）と、媒体の搬送路外に配置されるキャップ部材から排出されるインク（廃液）とを、効率よく回収することが課題となる。
【０００５】
なお、このような課題は、インクを噴射して印刷を行うプリンターに限らず、液体噴射部から媒体支持部に向けて噴射された液体に加えて、メンテナンスのために液体噴射部から排出された液体を回収する液体噴射装置においては、概ね共通したものとなっている。
【０００６】
本発明は、こうした実情に鑑みてなされたものであり、その目的は、装置内で発生した廃液を効率よく回収することができる液体噴射装置を提供することにある。
【課題を解決するための手段】
【０００７】
以下、上記課題を解決するための手段及びその作用効果について記載する。
上記課題を解決する液体噴射装置は、搬送方向と交差する方向を幅方向とした場合に、搬送路の前記幅方向における第１端と第２端のうち、前記第２端側に端部位置を合わせた状態で前記搬送方向に搬送される媒体に対して液体を噴射する液体噴射部と、前記搬送路の前記第１端の外側に配置されて、前記液体噴射部から廃液として排出される液体を受容する第１受容部と、前記媒体を支持する支持突部と、前記液体噴射部から前記媒体の端部に向けて噴射されて前記媒体に受容されなかった液体を廃液として受容する第２受容部と、を有して、前記搬送路に配置される媒体支持部と、前記第１受容部及び前記第２受容部が受容した廃液を収容する廃液収容部と、を備え、前記廃液収容部は、前記媒体支持部の鉛直下方において廃液を収容する収容室と、前記第１受容部が受容した廃液を導入するために前記第２端よりも前記第１端に近い位置に配置される導入口と、前記第２受容部に向けて開口する開口部と、を有する。
【０００８】
この構成によれば、廃液収容部の導入口は、第２端よりも第１端に近い位置に配置されるので、搬送路の第１端の外側に配置された第１受容部から排出される廃液を、導入口を通じて効率よく収容室に導入することができる。また、廃液収容部の開口部は第２受容部に向けて開口するので、第２受容部が受容した廃液を、開口部を通じて効率よく収容室に導入することができる。そして、媒体は、搬送路の第２端側に端部位置を合わせた状態で搬送されるので、搬送路内においては、第１端よりも第２端に近い位置においてより多くの廃液が発生する可能性が高い。そのため、収容室において、第２端に近い位置には搬送路内で発生する廃液を優先的に収容し、第１端に近い位置には搬送路外で発生する廃液を優先的に収容することになる。したがって、装置内で発生した廃液を効率よく回収することができる。
【０００９】
上記液体噴射装置は、前記搬送方向において前記媒体支持部と隣り合うように配置されて、前記媒体を搬送する搬送部を備え、前記廃液収容部の前記導入口は、前記搬送部の鉛直下方に配置される。
【００１０】
この構成によれば、廃液収容部の導入口を搬送部の鉛直下方に配置することによって、収容室を配置するための空間を媒体支持部の鉛直下方において広く確保することができる。
【００１１】
上記液体噴射装置は、基端が前記第２受容部に接続されるとともに先端が前記開口部に挿入される導液部を備え、前記導液部は、鉛直方向と交差する方向において、前記先端の方が前記基端よりも前記導入口から離れた位置に配置される。
【００１２】
この構成によれば、導液部の基端から先端に向けて廃液を伝わせることによって、第２受容部が受容した廃液を、開口部を通じて収容室に導入することができる。そして、導液部は、鉛直方向と交差する方向において、先端の方が基端よりも導入口から離れた位置に配置されるので、廃液収容部において、搬送路内で発生する廃液が収容される位置を、搬送路外で発生する廃液を収容する位置と離すことができる。これにより、廃液収容部において、液体噴射部から媒体支持部に向けて噴射された液体と、媒体の搬送路の外側において液体噴射部から排出された廃液とを効率よく収容することができる。
【００１３】
上記液体噴射装置において、前記廃液収容部は、鉛直上方に向けて開口する収容凹部と、前記収容凹部に収容される廃液を吸収可能な吸収体と、前記吸収体と前記導入口との間に空間を形成する空間形成部と、を有し、前記収容凹部の鉛直上方に向けて開口する開口部は前記第２受容部に向けて開口する前記開口部であり、前記収容凹部の内部空間は前記収容室となる。
【００１４】
この構成によれば、空間形成部が形成する空間に廃液を流入させることによって、導入口に接する位置にある吸収体に廃液を吸収させる場合よりも、廃液収容部への廃液の導入を速やかに行うことができる。また、導入口から導入された廃液が吸収体と導入口との間に形成される空間に拡散することによって、吸収体が廃液に接触する面積を大きくして、吸収体による廃液の吸収を速やかに進行させることができる。そして、第２受容部から排出される廃液は、吸収体の上面側から吸収される一方で、第１受容部から排出される廃液は吸収体の下面側から吸収されるので、搬送路の内側で発生する廃液と搬送路の外側で発生する廃液とを吸収体において離れた位置から効率よく吸収することができる。
【００１５】
上記液体噴射装置において、前記空間形成部は、前記幅方向において対向するように配置される一対の側壁を有し、前記空間形成部は前記幅方向が長手方向であり、前記導入口は前記側壁に設けられる。
【００１６】
この構成によれば、導入口から導入された廃液を空間形成部の長手方向に拡散させて、吸収体の廃液に対する接触面積を効率よく大きくすることができる。
上記液体噴射装置において、前記導入口は、前記一対の側壁のうち、前記第１受容部に近い方の側壁において、前記幅方向に沿う方向に向けて開口する。
【００１７】
この構成によれば、導入口は、一対の側壁のうち、第１受容部に近い方の側壁に設けられるので、第１受容部から遠い方の側壁に導入口を設ける場合よりも、第１受容部と導入口とを接続する流路を短くすることができる。また、導入口は幅方向に沿う方向に向けて開口するので、第１受容部と導入口とを接続する流路を、導入口から幅方向に沿う方向に向けて延設することになる。これに対して、導入口が搬送方向の上流側または下流側に向けて開口する場合には、上記流路を搬送方向に沿って延設することになるので、搬送方向において装置が大型化する可能性が高い。すなわち、幅方向に沿う方向に向けて導入口を開口することにより、搬送方向における装置の大型化を抑制することができる。
【図面の簡単な説明】
【００１８】
【図１】一実施形態の液体噴射装置の斜視図。
【図２】図１の液体噴射装置の上面図。
【図３】搬送部及びメンテナンス装置の平面構成を示す模式図。
【図４】廃液収容部の分解斜視図及び第２受容部の斜視図。
【図５】メンテナンス装置の構成を背面側から見た模式図。
【図６】廃液収容部、媒体支持部及び第２受容部の構成を断面で示す模式図。
【図７】廃液収容部、媒体支持部及び第２受容部の平面構成を示す模式図。
【発明を実施するための形態】
【００１９】
以下、液体噴射装置の実施形態について、図を参照して説明する。液体噴射装置は、例えば、用紙などの媒体に液体の一例であるインクを噴射することによって記録（印刷）を行うインクジェット式のプリンターである。
【００２０】
図１に示すように、液体噴射装置１１は、矩形箱状の筐体部１２と、筐体部１２に対して回動可能に取り付けられた上蓋１３と、同じく筐体部１２に対して回動可能に取り付けられた前蓋１４と、を備えている。上蓋１３及び前蓋１４は、それぞれ所定の角度まで回動されることによって、筐体部１２に重なる閉位置と図１に示す開位置とに配置される。
【００２１】
上蓋１３を開位置に配置すると、筐体部１２内に媒体Ｓを挿入するための挿入口１５が露出する。開位置に配置された上蓋１３は、挿入口１５に挿入される媒体Ｓを支持する支持台（給紙トレイ）として機能する。
【００２２】
また、前蓋１４を開位置に配置すると、筐体部１２内から媒体Ｓを排出するための排出口１６が露出する。開位置に配置された前蓋１４は、排出口１６から排出される媒体Ｓを受容する受容部（排紙トレイ）として機能する。前蓋１４には、媒体Ｓを支持する長さを延長するための延長部１４ａが回動可能に取り付けられている。
【００２３】
筐体部１２において、挿入口１５が開口する外壁を上壁２１、上壁２１の反対側の外壁を底壁２２、排出口１６が開口する外壁を前壁２３、前壁２３の反対側の外壁を後壁２４という。また、筐体部１２において、上壁２１、底壁２２、前壁２３及び後壁２４と交差する一対の外壁を外側壁２５，２６という。そして、筐体部１２において、上壁２１側を天面側、底壁２２側を底面側ということがある。
【００２４】
上壁２１の表面側（天面側）には、液体噴射装置１１の操作を行うための操作部２７と、操作部２７の操作結果や液体噴射装置１１の動作状況等を表示するための表示部２８とが配置されている。
【００２５】
さらに、上壁２１には開口部２１ａが設けられているとともに、開口部２１ａには開閉蓋２１ｂが取り付けられている。開閉蓋２１ｂは、所定の角度まで回動されることによって、開口部２１ａを覆う閉位置と開口部２１ａを露出させる開位置とに配置される。
【００２６】
図２に示すように、筐体部１２内には、媒体Ｓを支持するための媒体支持部３１と、媒体支持部３１に支持された媒体Ｓに対して液体を噴射する液体噴射部３２と、液体噴射部３２を保持して往復移動するキャリッジ３３と、が収容されている。また、筐体部１２内には、キャリッジ３３の移動を案内するためのガイドレール３４が架設されている。なお、図２においては、筐体部１２内の構成を明示するために、開閉蓋２１ｂの図示を省略している。
【００２７】
液体噴射部３２は、液体を液滴として噴射する複数のノズル３５を有している。液体噴射部３２は、筐体部１２内の長手方向における第１端Ｅ１側（図２では右端側）をホーム位置（図５に示す位置）として、ホーム位置から長手方向における第２端Ｅ２側（図２では左端側）に向かう往路移動と、第２端Ｅ２側からホーム位置に向かう復路移動とを交互に行う。
【００２８】
本実施形態において、液体噴射部３２が液体を噴射する方向を噴射方向Ｚ、媒体支持部３１上において挿入口１５から排出口１６に向けて媒体Ｓが搬送される方向を搬送方向Ｙ、液体噴射部３２の往路移動方向を走査方向Ｘという。液体噴射部３２が往復移動する方向（走査方向Ｘに沿う方向）は、媒体Ｓの幅方向ともいう。本実施形態において、噴射方向Ｚは鉛直下方（重力方向）であり、噴射方向Ｚ、搬送方向Ｙ及び走査方向Ｘは互いに交差（好ましくは、直交）する方向である。
【００２９】
挿入口１５、媒体支持部３１及び排出口１６は、搬送方向Ｙの上流側から下流側に向けて順に並んで、媒体Ｓの搬送路を形成している。媒体支持部３１は、筐体部１２内において走査方向Ｘの中央付近に配置されている。ホーム位置は、媒体支持部３１よりも第１端Ｅ１に近い位置に設定される。また、挿入口１５には、搬送路において、媒体Ｓの走査方向Ｘにおける端部位置を決めるためのガイド部３６，３７が設けられている。
【００３０】
図３に示すように、第１ガイド部３６は、搬送路に配置された媒体Ｓの、幅方向における第１端Ｐ１側（図２では右端側）の端部位置を決めるものである。また、第２ガイド部３７は、搬送路に配置された媒体Ｓの、幅方向における第２端Ｐ２側（図２では左端側）の端部位置を決めるものである。
【００３１】
第１ガイド部３６は、走査方向Ｘに沿ってスライド移動可能であり、挿入口１５に挿入された媒体Ｓの幅方向における第１端Ｐ１に接触しつつ第２端Ｐ２に近づく方向（走査方向Ｘ）に移動することによって、媒体Ｓを搬送路の第２端Ｐ２側に寄せる。そして、媒体Ｓは、搬送路において幅方向の第２端Ｐ２側に位置決めされた状態で搬送される。
【００３２】
筐体部１２内には、挿入口１５から挿入された媒体Ｓを排出口１６に向けて搬送する搬送部４１と、液体噴射部３２のメンテナンスを行うためのメンテナンス機構５１と、液体噴射部３２から廃液として排出された液体を収容する廃液収容部６１と、が収容されている。
【００３３】
搬送部４１は、挿入口１５から媒体支持部３１に向けて媒体Ｓを搬送する搬送ローラー４２と、媒体支持部３１から排出口１６に向けて媒体Ｓを搬送する排出ローラー４３と、を備える。また、搬送部４１は、駆動源である搬送モーター４４と、搬送モーター４４の駆動力を搬送ローラー４２及び排出ローラー４３に伝達するための歯車列等からなる動力伝達機構４５と、挿入口１５と媒体支持部３１との間で媒体Ｓの搬送路を形成する搬送路形成部材４６と、を備える。搬送ローラー４２は、例えば、表面加工によって表面祖度が調整された金属棒からなる。
【００３４】
メンテナンス機構５１は、ホーム位置と対応する位置に配置される第１受容部５２と、第１受容部５２に吸引チューブ５３を介して接続される吸引機構５４と、第１受容部５２に基端側が接続される通気チューブ５５と、通気チューブ５５の先端側に設けられる大気開放弁５６と、を備える。本実施形態の第１受容部５２は、有底箱状をなすキャップである。
【００３５】
また、吸引機構５４は、排出チューブ６２を介して廃液収容部６１に接続されている。なお、吸引機構５４は、搬送方向Ｙにおいて第１受容部５２及び廃液収容部６１よりも上流側であって、幅方向において廃液収容部６１よりも第１端Ｐ１に近い位置（第１受容部５２の後側）に配置することが好ましい。
【００３６】
第１受容部５２は、噴射方向Ｚに沿って移動可能であり、ホーム位置にある液体噴射部３２に接触するキャッピング位置（図５に実線で示す位置）と、キャッピング位置よりも底壁２２に近い退避位置（図５に二点鎖線で示す位置）との間を移動する。
【００３７】
第１受容部５２が液体噴射部３２に接触するキャッピング位置に移動すると、第１受容部５２はノズル３５が開口する閉空間を形成する。このように、第１受容部５２によってノズル３５が開口する閉空間を形成することを「キャッピング」という。なお、第１受容部５２がキャッピング位置から退避位置に移動すると、キャッピングは解除される。
【００３８】
大気開放弁５６が通気チューブ５５の先端を開放する開弁位置に変位すると、第１受容部５２が形成する閉空間は大気に連通した状態になる。また、大気開放弁５６が通気チューブ５５の先端を閉塞する閉弁位置に変位すると、閉空間が密閉された状態になり、ノズル３５の乾燥が抑制される。そして、液体を噴射しない電源オフ時などに、液体噴射部３２はホーム位置に移動して、第１受容部５２がキャッピング位置に移動してキャッピングするとともに大気開放弁５６が通気チューブ５５の先端を閉塞した状態で、待機する。
【００３９】
吸引機構５４は、例えば、弾性変形可能なチューブを押圧部材が押し潰しつつ移動することで吸引力を発生させるチューブポンプ等からなる吸引ポンプである。大気開放弁５６が閉弁位置にあるときに吸引機構５４が駆動すると、閉空間が減圧されて負圧になる。これにより、ノズル３５を通じて液体噴射部３２から液体が排出される吸引クリーニングが実行される。なお、吸引機構５４をチューブポンプとした場合には、押圧部材によるチューブの押し潰しを解除することによって閉空間を大気と連通させることができるので、このような場合には、大気開放弁５６及び通気チューブ５５を備えなくてもよい。
【００４０】
吸引クリーニングは、例えばノズル３５が目詰まりするなどして液体の噴射不良が生じた場合などに、こうした噴射不良を解消するためのメンテナンス動作として行われる。そのため、吸引クリーニングによってノズル３５から排出される液体は、液体噴射部３２内に混入した気泡や増粘した液体の溶質成分などを含む廃液として、排出チューブ６２を通じて廃液収容部６１に収容される。
【００４１】
吸引クリーニングの実行後には、大気開放弁５６を開弁位置に変位させて閉空間の負圧を解消した上で、第１受容部５２を液体噴射部３２から離れる方向に相対移動させることでキャッピングを解除する。またその後、吸引機構５４を駆動することによって、第１受容部５２に残っている液体を廃液収容部６１に回収する空吸引を行う。
【００４２】
噴射不良を解消するためのメンテナンス動作として、液体噴射部３２が退避位置にある第１受容部５２に向けて液滴を噴射するフラッシングを行うこともある。なお、フラッシングを行った後には、吸引機構５４を駆動することによって、第１受容部５２が受容した液体を廃液収容部６１に回収する空吸引を行う。
【００４３】
媒体支持部３１には、媒体Ｓを支持する複数の支持突部３１ａが走査方向Ｘ及び搬送方向Ｙに並ぶように設けられている。また、媒体支持部３１の天面側の面（鉛直上面）には、シート収容凹部３１ｂが凹設されている。そして、シート収容凹部３１ｂには、液体を吸収可能な第２受容部３８としての液滴受容シートが収容されている。
【００４４】
第２受容部３８は、媒体Ｓの縁まで余白無く印刷を施す縁なし印刷を行う場合に、液体噴射部３２から媒体Ｓの端部に向けて噴射されて、媒体Ｓに受容されずにはみ出た液滴を受容する。
【００４５】
すなわち、液体噴射部３２は、搬送方向Ｙと交差する方向を幅方向とした場合に、搬送路の幅方向における第１端Ｐ１と第２端Ｐ２のうち、第２端Ｐ２側に端部位置を合わせた状態で搬送方向Ｙに搬送される媒体Ｓに対して液体を噴射する。また、媒体支持部３１は、媒体Ｓを支持する支持突部３１ａと、液体噴射部３２から媒体Ｓの端部に向けて噴射されて媒体Ｓに受容されなかった液体を廃液として受容する第２受容部３８と、を有して、搬送路に配置される。これに対して、第１受容部５２は、搬送路の第１端Ｐ１の外側に配置されて、液体噴射部３２から廃液として排出される液体を受容する。そして、廃液収容部６１は、第１受容部５２及び第２受容部３８が受容した廃液を収容する。
【００４６】
図４に示すように、廃液収容部６１は、鉛直上方に向けて開口する収容凹部６３と、収容凹部６３に収容される廃液を吸収可能な吸収体６４（６４Ｔ、６４Ｍ、６４Ｂ）と、収容凹部６３と連通する空間形成部６５と、を備える。収容凹部６３の鉛直上方に向けて開口する開口部６６は第２受容部３８に向けて開口する開口部であり、収容凹部６３の内部空間は、媒体支持部３１（図６参照）の鉛直下方において廃液を収容する収容室６７となる。本実施形態において、空間形成部６５は開口部６６よりも鉛直下方に位置している。なお、本実施形態において吸収体６４Ｔ、６４Ｍ、６４Ｂは鉛直方向に積層されているが、収容凹部６３に収容される吸収体６４の数、大きさ及び形状については、任意に変更することが可能である。
【００４７】
収容凹部６３の開口部６６付近には、吸収体６４の膨張及び移動を抑制するための押さえ部材６８を配置することが好ましい。押さえ部材６８は、図４に示すような棒部材であってもよいし、フィルム状の押さえ部材を吸収体６４Ｔの上面側に配置するようにしてもよい。
【００４８】
また、廃液収容部６１において収容凹部６３内に突出する１つまたは複数の突出部６９を設けるとともに吸収体６４に突出部６９を挿入可能な切り込み６４ａを設けて、突出部６９を吸収体６４の切り込み６４ａに挿入することが好ましい。このようにすれば、収容室６７における吸収体６４の移動を抑制することができる。なお、突出部６９の位置、数及び形状は、任意に変更することができる。
【００４９】
図５に示すように、空間形成部６５は幅方向（走査方向Ｘ）が長手方向であり、幅方向において対向するように配置される一対の側壁６５ａ，６５ｂと、一対の側壁６５ａ，６５ｂと交差して幅方向（走査方向Ｘ）に延びる底壁６５ｃ及び天井部６５ｄと、を有している。一対の側壁６５ａ，６５ｂのうちの一方である側壁６５ａには、第１受容部５２が受容した廃液を導入するための導入口７１（図４を併せて参照）が設けられている。そして、導入口７１には、排出チューブ６２の下流端が接続されている。
【００５０】
本実施形態の導入口７１は、一対の側壁６５ａ，６５ｂのうち、第１受容部５２に近い方の側壁６５ａにおいて、幅方向に沿う方向に向けて開口することが好ましい。このようにすれば、導入口７１は、媒体Ｓの搬送路において、幅方向の第１端Ｐ１と第２端Ｐ２のうち、第２端Ｐ２よりも第１端Ｐ１に近い位置に配置される態様となり、排出チューブ６２の長さを短くすることができるためである。
【００５１】
図６に示すように、廃液収容部６１の収容凹部６３は、噴射方向Ｚにおいて媒体支持部３１と底壁２２との間に配置されている。なお、図６は、廃液収容部６１、媒体支持部３１及び第２受容部３８を図７に６−６線矢視で示す位置で切った断面を模式的に示す図である。
【００５２】
廃液収容部６１の空間形成部６５は、噴射方向Ｚにおいて搬送ローラー４２と底壁２２との間に配置されている。廃液収容部６１の空間形成部６５は、媒体支持部３１よりも搬送方向Ｙの上流側に配置される搬送ローラー４２の鉛直下方に形成される空間に配置される。そのため、廃液収容部６１の導入口７１は、搬送部４１を構成する搬送ローラー４２の鉛直下方に配置される態様になる。なお、搬送ローラー４２は搬送方向Ｙにおいて媒体支持部３１と隣り合うように配置されている。
【００５３】
吸収体６４Ｂは、収容凹部６３から空間形成部６５内に向けて延出する延出部６４ｃ（図４を併せて参照）を有する。延出部６４ｃは、幅方向において導入口７１側の端部においては切り欠かれている。これにより、空間形成部６５は、延出部６４ｃが切り欠かれた部分において、吸収体６４と導入口７１との間に空間ＳＰ（図５及び図７を併せて参照）を形成する。
【００５４】
媒体支持部３１において、シート収容凹部３１ｂの内底部にあたる位置には、複数の挿通孔３１ｃが形成されている。第２受容部３８には、挿通孔３１ｃに挿通される導液部７２が接続されている。導液部７２は、上端となる基端が第２受容部３８に接続されるとともに下端となる先端が開口部６６に挿入されて吸収体６４Ｔに接触している。そして、第２受容部３８が受容した液体は、導液部７２を伝って収容室６７に導入されて、吸収体６４に吸収される。
【００５５】
図７に示すように、導液部７２は、鉛直方向と交差する方向において、先端の方が基端よりも導入口７１から離れた位置に配置される。例えば、本実施形態の第２受容部３８に接続される４つの導液部７２（７２Ａ、７２Ｂ、７２Ｃ、７２Ｄ）のうち、最も第１受容部５２に近い位置にある導液部７２Ａは基端（図５の矢印の黒丸位置）から先端（同矢印の先端）に向けて搬送方向Ｙに延びる。そして、鉛直方向と交差する搬送方向Ｙにおいて、導液部７２Ａの先端は、基端よりも導入口７１から離れた位置にある。
【００５６】
また、導液部７２Ｂ、７２Ｃ、７２Ｄは幅方向（走査方向Ｘ）に延びる。そして、鉛直方向と交差する走査方向Ｘにおいて、導液部７２Ｂ、７２Ｃ、７２Ｄの先端は、基端よりも導入口７１から離れた位置にある。なお、図７においては、廃液収容部６１及び第２受容部３８の構成を明示するために、媒体支持部３１及び搬送部４１の図示を省略している。
【００５７】
次に、以上のように構成された液体噴射装置１１の作用について説明する。
液体噴射装置１１においては、縁なし印刷を行うときに媒体Ｓの端部からはみ出た液滴は、第２受容部３８に受容された後、導液部７２を伝って開口部６６から廃液収容部６１の収容室６７に収容される。また、液体噴射部３２のメンテナンスのために液体噴射部３２から第１受容部５２に排出された廃液は、吸引機構５４の駆動によって排出チューブ６２を流れて、導入口７１から廃液収容部６１の収容室６７に収容される。
【００５８】
すなわち、廃液収容部６１には、媒体Ｓの搬送路内で発生して第２受容部３８が受容した廃液と、媒体Ｓの搬送路外で発生して第１受容部５２が受容した廃液とが、異なる位置に配置された入口である開口部６６と導入口７１とを通じて、それぞれ導入される。そのため、搬送路内で発生した廃液を収容する廃液収容部と搬送路外で発生した廃液を収容する廃液収容部とを別々に設ける場合よりも、構成を簡素化することができる。
【００５９】
ここで、媒体Ｓは、搬送路の第２端Ｐ２側に端部位置を合わせた状態で搬送されるので、幅方向のサイズが異なる複数の媒体Ｓに印刷を行った場合、第２受容部３８において、第１端Ｐ１側の端部からはみ出た液滴が落ちる位置はばらつくものの、第２端Ｐ２側の端部からはみ出た液滴が落ちる位置はほぼ一致する。そのため、第２受容部３８は、第１端Ｐ１よりも第２端Ｐ２に近い位置において、より多くの廃液を受容する可能性が高い。
【００６０】
その結果、第２受容部３８が受容する廃液については、幅方向（走査方向Ｘ）において、第１端Ｐ１に近い位置にある導液部７２Ａ、７２Ｂ、７２Ｃよりも、第２端Ｐ２に近い位置にある導液部７２Ｄを伝って収容室６７に収容される量が多くなる。
【００６１】
一方、第１受容部５２が受容した廃液は、廃液収容部６１が備える空間形成部６５の幅方向（走査方向Ｘ）において、第１端Ｐ１に近い位置にある導入口７１を通じて収容室６７に収容される。また、空間形成部６５は、廃液収容部６１の搬送方向Ｙ上流側に配置されるのに対して、導液部７２は吸収体６４に接する先端が、第２受容部３８に接続される基端よりも、導入口７１から離れた位置にある。
【００６２】
このように、第２受容部３８が受容した廃液を吸収体６４に伝える導液部７２の先端と、第１受容部５２が受容した廃液を収容室６７に導入するための導入口７１とは、搬送方向Ｙ及び幅方向において、可能な限り離れた位置に配置されている。さらに、導液部７２を伝って落ちてきた廃液は、吸収体６４Ｔの上面側から吸収される一方で、導入口７１から導入された廃液は、空間ＳＰで底面に沿って濡れ拡がるように拡散した後、吸収体６４Ｂの下面側から吸収される。そのため、搬送路の内側で発生する廃液と搬送路の外側で発生する廃液とを吸収体６４において離れた位置から効率よく吸収することが可能になる。
【００６３】
また、廃液収容部６１において、第２受容部３８が受容した廃液を収容室６７に導入するための開口部６６を第２受容部３８に近い位置に設けることによって、導液部７２を小型化することが可能になる。さらに、第１受容部５２が受容した廃液を収容室６７に導入するための導入口７１を第１受容部５２に近い位置に設けることによって、排出チューブ６２の長さを短くすることが可能になる。そのため、第２受容部３８が受容した廃液と第１受容部５２が受容した廃液とが、効率よく廃液収容部６１に回収される。
【００６４】
上記実施形態によれば、以下のような効果を得ることができる。
（１）廃液収容部６１の導入口７１は、第２端Ｐ２よりも第１端Ｐ１に近い位置に配置されるので、搬送路の第１端Ｐ１の外側に配置された第１受容部５２から排出される廃液を、導入口７１を通じて効率よく収容室６７に導入することができる。また、廃液収容部６１の開口部６６は第２受容部３８に向けて開口するので、第２受容部３８が受容した廃液を、開口部６６を通じて効率よく収容室６７に導入することができる。そして、媒体Ｓは、搬送路の第２端Ｐ２側に端部位置を合わせた状態で搬送されるので、搬送路内においては、第１端Ｐ１よりも第２端Ｐ２に近い位置においてより多くの廃液が発生する可能性が高い。そのため、収容室６７において、第２端Ｐ２に近い位置には搬送路内で発生する廃液を優先的に収容し、第１端Ｐ１に近い位置には搬送路外で発生する廃液を優先的に収容することになる。したがって、装置内で発生した廃液を効率よく回収することができる。
【００６５】
（２）廃液収容部６１の空間形成部６５及び導入口７１を、搬送部４１を構成する搬送ローラー４２の鉛直下方に配置することによって、収容室６７を配置するための空間を媒体支持部３１の鉛直下方において広く確保することができる。
【００６６】
（３）導液部７２の基端から先端に向けて廃液を伝わせることによって、第２受容部３８が受容した廃液を、開口部６６を通じて収容室６７に導入することができる。そして、導液部７２は、鉛直方向と交差する方向において、先端の方が基端よりも導入口７１から離れた位置に配置されるので、廃液収容部６１において、搬送路内で発生する廃液が収容される位置を、搬送路外で発生する廃液を収容する位置と離すことができる。これにより、廃液収容部６１において、液体噴射部３２から媒体支持部３１に向けて噴射された液体と、媒体Ｓの搬送路の外側において液体噴射部３２から排出された廃液とを効率よく収容することができる。
【００６７】
（４）空間形成部６５が形成する空間ＳＰに廃液を流入させることによって、導入口７１に接する位置にある吸収体に廃液を吸収させる場合よりも、廃液収容部６１への廃液の導入を速やかに行うことができる。また、導入口７１から導入された廃液が吸収体６４と導入口７１との間に形成される空間ＳＰに拡散することによって、吸収体６４が廃液に接触する面積を大きくして、吸収体６４による廃液の吸収を速やかに進行させることができる。そして、第２受容部３８から排出される廃液は、吸収体６４Ｔの上面側から吸収される一方で、第１受容部５２から排出される廃液は吸収体６４Ｂの下面側から吸収されるので、搬送路の内側で発生する廃液と搬送路の外側で発生する廃液とを吸収体６４において離れた位置から効率よく吸収することができる。
【００６８】
（５）導入口７１を空間形成部６５の長手方向となる幅方向において対向する一対の側壁６５ａ，６５ｂの内の一方の側壁６５ａに設けることにより、導入口７１から導入された廃液を空間形成部６５の長手方向に拡散させて、吸収体６４の廃液に対する接触面積を効率よく大きくすることができる。
【００６９】
（６）導入口７１は、一対の側壁６５ａ，６５ｂのうち、第１受容部５２に近い方の側壁６５ａに設けられるので、第１受容部５２から遠い方の側壁６５ｂに導入口７１を設ける場合よりも、第１受容部５２と導入口７１とを接続する流路を形成する排出チューブ６２を短くすることができる。また、導入口７１は幅方向に沿う方向に向けて開口するので、第１受容部５２と導入口７１とを接続する流路（排出チューブ６２）を、導入口７１から幅方向に沿う方向に向けて延設することになる。これに対して、導入口７１が搬送方向Ｙの上流側または下流側に向けて開口する場合には、上記流路（排出チューブ６２）を搬送方向Ｙに沿って延設することになるので、搬送方向Ｙにおいて装置が大型化する可能性が高い。すなわち、幅方向に沿う方向に向けて導入口７１を開口することにより、搬送方向Ｙにおける装置の大型化を抑制することができる。
【００７０】
なお、上記実施形態は以下に示す変更例のように変更してもよい。
・廃液収容部６１において、開口部６６の位置と収容室６７の位置とが、搬送方向Ｙまたは幅方向においてずれていてもよい。
【００７１】
・廃液収容部６１に空間形成部６５を設けず、収容凹部６３に開口するように導入口７１を設けてもよい。例えば、廃液収容部６１において、第１受容部５２と対向する側面に導入口７１を設けてもよい。
【００７２】
・導液部７２は、第２受容部３８と一体形成してもよいし、第２受容部３８とは別体に形成したものを第２受容部３８に接続するようにしてもよい。あるいは、吸収体６４から導液部７２を延設して、その先端が第２受容部３８に接触するようにしてもよい。
【００７３】
・導液部７２の位置、大きさ及び形状は、任意に変更することができる。例えば、多くの廃液を受容する可能性が高い第２端Ｐ２に近い位置にある導液部７２Ｄのみを備えるようにしてもよい。この場合には、導液部７２Ｄの先端を挿通可能な位置に開口部６６を設けるようにしてもよい。
【００７４】
・空間形成部６５内に吸収体６４（延出部６４ｃ）を配置せず、その内部空間全体を空間ＳＰとしてもよい。
・空間形成部６５を搬送路形成部材４６の鉛直下方に配置するようにしてもよい。
【００７５】
・収容凹部６３は、搬送路形成部材４６と底壁２２との間の領域や、排出ローラー４３と底壁２２との間の領域まで延設してもよい。
・第１受容部５２は、液体噴射部３２に接触することなく、液体噴射部３２から噴射される液滴を受容するフラッシングボックスであってもよい。
【００７６】
・廃液収容部６１は、液体噴射装置１１に対して着脱可能な構成を備えてもよい。
・廃液収容部６１の導入口７１を、搬送部４１を構成する搬送ローラー４２以外の部材の鉛直下方に配置してもよい。例えば、搬送路形成部材４６の鉛直方向下方となる搬送路形成部材４６と底壁２２との間に導入口７１を配置してもよい。
【００７７】
・空間形成部６５を媒体支持部３１よりも搬送方向Ｙの下流側に配置し、導入口７１を排出ローラー４３の鉛直下方となる排出ローラー４３と底壁２２との間に配置してもよい。
【００７８】
・液体噴射部３２が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う構成にしてもよい。
【００７９】
・媒体Ｓは用紙に限らず、プラスチックフィルムや薄い板材などでもよいし、捺染装置などに用いられる布帛であってもよい。
【符号の説明】
【００８０】
１１…液体噴射装置、３１…媒体支持部、３１ａ…支持突部、３２…液体噴射部、３８…第２受容部、４１…搬送部、５２…第１受容部、６１…廃液収容部、６３…収容凹部、６４，６４Ｂ，６４Ｍ，６４Ｔ…吸収体、６５…空間形成部、６６…開口部、６５ａ，６５ｂ…側壁、６７…収容室、７１…導入口、７２，７２Ａ，７２Ｂ，７２Ｃ，７２Ｄ…導液部、Ｓ…媒体、Ｙ…搬送方向、Ｐ１…第１端、Ｐ２…第２端、ＳＰ…空間。
【図１】
2015217628.tif 000003
【図２】
2015217628.tif 000004
【図３】
2015217628.tif 000005
【図４】
2015217628.tif 000006
【図５】
2015217628.tif 000007
【図６】
2015217628.tif 000008
【図７】
2015217628.tif 000009